(57)【要約】【課題】文字・絵柄等の外周部から漏れる間接光の効果により、観察者がこれらの光を視認したときに立体感を感じるようにして、文字・絵柄をより美しく表示することができる情報表示パネルを提供すること。【解決手段】背面より照明される情報表示パネルであって、光透過性支持体の一方の面に所定パターンを有する第一反射層と、第一反射層に少なくとも一部が重なる絵柄層が積層され、他方の面に所定パターンを有する遮光層が積層され、絵柄層の外周全体の長さをＬ０、絵柄層より第一反射層がはみ出している領域の絵柄層外周をＬ１としたとき、（Ｌ１／Ｌ０）が１５％以上で、絵柄層または絵柄層開口部により形成されている図柄を包囲できる最小円の直径をＲ、絵柄層から第一反射層２がはみ出している部分の幅の最大値をＬ２としたとき、（Ｌ２／Ｒ）が０．２５％〜５％の範囲にあることを特徴とする情報表示パネル。【選択図】図１
2011013763.tif 000002
【特許請求の範囲】
【請求項１】
光源によって背面より照明される情報表示パネルであって、
前記情報表示パネルは光透過性支持体、第一の反射層、絵柄層、遮光層からなり、
前記光透過性支持体の一方の面である観察者側の面に所定のパターンを有する第一の反射層が積層され、
前記第一の反射層の上に、前記第一の反射層に少なくとも一部が重なった状態で絵柄層が積層され、
前記光透過性支持体の他方の面である光源が配置される側の面に所定のパターンを有する第二の遮光層が積層され、
前記絵柄層の外周全体の長さをＬ０とし、絵柄層の端部より第一の反射層の端部がはみ出している領域の絵柄層の外周をＬ１としたとき、（Ｌ１／Ｌ０）×１００＝１５％以上の範囲にあり、
前記絵柄層または絵柄層の開口部により形成されている図柄を包囲できる最小円の直径をＲとし、前記絵柄層の端部から前記第一の反射層２の端部がはみ出している部分の幅の最大値をＬ２としたとき、（Ｌ２／Ｒ）×１００＝０．２５％〜５％の範囲にあり、
前記絵柄層の開口部分がなすパターン形状と前記遮光層がなすパターン形状が略重なることを特徴とする情報表示パネル。
【請求項２】
前記光透過性支持体と前記遮光層との間に第二の反射層が積層された情報表示パネルであって、前記第二の反射層と前記遮光層は略重なっていることを特徴とする請求項１に記載の情報表示パネル。
【請求項３】
前記光透過性支持体と前記遮光層との間に第二の反射層が積層された情報表示パネルであって、前記第二の反射層と前記遮光層の少なくとも一部が重なっており、前記第一の反射層に対して前記第二の反射層及び遮光層は少なくとも一部は重ならない部分を持つことを特徴とする請求項１に記載の情報表示パネル。
【請求項４】
前記第一の反射層の波長３８０〜７８０ｎｍの光に対する反射率が６０％以上９８％以下であることを特徴とする請求項１乃至３記載の情報表示パネル。
【請求項５】
前記絵柄層の全光線透過率が０％以上２０％以下であることを特徴とする請求項１乃至４記載の情報表示パネル。
【請求項６】
前記遮光層の全光線透過率が０％以上２０％以下であることを特徴とする請求項２乃至５記載の情報表示パネル。
【請求項７】
前記第二の反射層の波長３８０〜７８０ｎｍの光に対する反射率が４０％以上９８％以下であることを特徴とする請求項３乃至６記載の情報表示パネル。
【請求項８】
前記光透過性支持体はポリカーボネート、ポリプロピレン、発泡ポリプロピレン、ポリエチレンテレフタレート、ポリメタクリル酸メチル、アクリル、ポリスチレン、メタクリル・スチレン共重合体またはアクリルニトリル・スチレン共重合体のいずれかの樹脂であることを特徴とする請求項１乃至７記載の情報表示パネル。
【請求項９】
前記光透過性支持体はヘイズ値が１２％以上９２％以下の樹脂であることを特徴とする請求項１乃至７記載の情報表示パネル。
【請求項１０】
前記光透過性支持体は光透過層と光拡散層を含み、
前記光透過層はポリカーボネート、ポリプロピレン、発泡ポリプロピレン、ポリエチレンテレフタレート、ポリメタクリル酸メチル、アクリル、ポリスチレン、メタクリル・スチレン共重合体またはアクリルニトリル・スチレン共重合体のいずれかの樹脂であり、前記光拡散層はヘイズ値が１２％以上９２％以下の樹脂であることを特徴とする請求項１乃至７記載の情報表示パネル。
【請求項１１】
前記光透過性支持体の厚さが０．０５〜５ｍｍの範囲であることを特徴とする請求項１乃至１０記載の情報表示パネル。
【請求項１２】
観察者と直下型光源の間に請求項１乃至１１記載のいずれかの情報表示パネルが少なくとも配置され、前記光透過性支持体の他方の面が前記直下型光源に対面するように配置されていることを特徴とする輸送機器。
【請求項１３】
観察者と、エッジライト式光源と導光板からなる面光源との間に請求項１乃至１１に記載のいずれかの情報表示パネルが少なくとも配置され、前記光透過性支持体の他方の面が前記面光源に対面するように配置されていることを特徴とする輸送機器。
【発明の詳細な説明】
【技術分野】
【０００１】
本発明は、平板状の光透過性支持体の表裏に印刷層を備える情報表示パネルに関し、特に遮光性を有する遮光層、および光反射性を有する反射層を組み合わせた印刷層を備えた情報表示パネルおよびその情報表示パネルを具備した輸送機器に関する。
【背景技術】
【０００２】
従来技術の一例である特許文献１の情報表示パネルにおいては、半透過性の基材の観察者側の表面の文字・絵柄部分に対応する位置に白色半透明インキが塗布されると共に、この白色半透明インキの周囲に、黒色不透明インキが塗布されている。また、基材の他方の面の文字・絵柄部分に対応する位置に、有彩色の半透明インキが塗布されており、それ以外の部分に有彩色半透明インキによる印刷で格子模様が塗布されている。【０００３】
特許文献１の情報表示パネルの構成によれば、情報表示パネルの他方の面の側の後方に配置されるランプ非点灯時は、外光により、文字・絵柄部分が白色半透明インキにより白色で視認され、文字・絵柄部分以外の地色部分が黒色で視認される。また、ランプ点灯時は、裏面側からランプの光が照射されることにより、有彩色半透明インキを透過する光により、文字・絵柄部分が有彩色で視認され、それ以外の地の部分に有彩色の格子模様が現れる。【０００４】
しかしながら、特許文献１の技術ではランプ点灯時に文字・絵柄外周部は格子模様が現れるのみであり、文字・絵柄外周部に間接光を発生させて美しく表示することはできなかった。 
【先行技術文献】
【特許文献】
【０００５】
【特許文献１】実開平５−６４７２７号
【発明の概要】
【発明が解決しようとする課題】
【０００６】
本発明の情報表示パネルは、その後方に配置される光源を点灯した際に、文字・絵柄等の外周部から漏れる間接光の効果、または、その間接光と直接光を組み合わせた効果を生じさせることを可能とするものである。これらの効果により、観察者がこれらの光を視認したときに文字・絵柄等に立体感を感じさせるようにして、文字・絵柄をより美しく表示することができる情報表示パネルを提供することを、本発明の課題とする。
【課題を解決するための手段】
【０００７】
本発明は、上記課題を解決するために次のような構成を備えている。
請求項１に記載の発明は、
光源によって背面より照明される情報表示パネルであって、
前記情報表示パネルは光透過性支持体、第一の反射層、絵柄層、遮光層からなり、
前記光透過性支持体の一方の面である観察者側の面に所定のパターンを有する第一の反射層が積層され、
前記第一の反射層の上に、前記第一の反射層に少なくとも一部が重なった状態で絵柄層が積層され、
前記光透過性支持体の他方の面である光源が配置される側の面に所定のパターンを有する第二の遮光層が積層され、
前記絵柄層の外周全体の長さをＬ０とし、絵柄層の端部より第一の反射層の端部がはみ出している領域の絵柄層の外周をＬ１としたとき、（Ｌ１／Ｌ０）×１００＝１５％以上の範囲にあり、
前記絵柄層または絵柄層の開口部により形成されている図柄を包囲できる最小円の直径をＲとし、前記絵柄層の端部から前記第一の反射層２の端部がはみ出している部分の幅の最大値をＬ２としたとき、（Ｌ２／Ｒ）×１００＝０．２５％〜５％の範囲にあり、
前記絵柄層の開口部分がなすパターン形状と前記遮光層がなすパターン形状が略重なることを特徴とする情報表示パネル、である。【０００８】
請求項２に記載の発明は、前記光透過性支持体と前記遮光層との間に第二の反射層が積層された情報表示パネルであって、前記第二の反射層と前記遮光層は略重なっていることを特徴とする請求項１に記載の情報表示パネル、である。【０００９】
請求項３に記載の発明は、前記光透過性支持体と前記遮光層との間に第二の反射層が積層された情報表示パネルであって、前記第二の反射層と前記遮光層の少なくとも一部が重なっており、前記第一の反射層に対して前記第二の反射層及び遮光層は少なくとも一部は重ならない部分を持つことを特徴とする請求項１に記載の情報表示パネル、である。【００１０】
請求項４に記載の発明は、前記第一の反射層の波長３８０〜７８０ｎｍの光に対する反射率が６０％以上９８％以下であることを特徴とする請求項１乃至３記載の情報表示パネル、である。【００１１】
請求項５に記載の発明は、前記絵柄層の全光線透過率が０％以上２０％以下であることを特徴とする請求項１乃至４記載の情報表示パネル、である。【００１２】
請求項６に記載の発明は、前記遮光層の全光線透過率が０％以上２０％以下であることを特徴とする請求項２乃至５記載の情報表示パネル、である。【００１３】
請求項７に記載の発明は、前記第二の反射層の波長３８０〜７８０ｎｍの光に対する反射率が４０％以上９８％以下であることを特徴とする請求項３乃至６記載の情報表示パネル、である。【００１４】
請求項８に記載の発明は、前記光透過性支持体はポリカーボネート、ポリプロピレン、発泡ポリプロピレン、ポリエチレンテレフタレート、ポリメタクリル酸メチル、アクリル、ポリスチレン、メタクリル・スチレン共重合体またはアクリルニトリル・スチレン共重合体のいずれかの樹脂であることを特徴とする請求項１乃至７記載の情報表示パネル、である。【００１５】
請求項９に記載の発明は、前記光透過性支持体はヘイズ値が１２％以上９２％以下の樹脂であることを特徴とする請求項１乃至７記載の情報表示パネル、である。【００１６】
請求項１０に記載の発明は、前記光透過性支持体は光透過層と光拡散層を含み、
前記光透過層はポリカーボネート、ポリプロピレン、発泡ポリプロピレン、ポリエチレンテレフタレート、ポリメタクリル酸メチル、アクリル、ポリスチレン、メタクリル・スチレン共重合体またはアクリルニトリル・スチレン共重合体のいずれかの樹脂であり、前記光拡散層はヘイズ値が１２％以上９２％以下の樹脂であることを特徴とする請求項１乃至７記載の情報表示パネル、である。【００１７】
請求項１１に記載の発明は、前記光透過性支持体の厚さが０．０５〜５ｍｍの範囲であることを特徴とする請求項１乃至１０記載の情報表示パネル、である。【００１８】
請求項１２に記載の発明は、観察者と直下型光源の間に請求項１乃至１１記載のいずれかの情報表示パネルが少なくとも配置され、前記光透過性支持体の他方の面が前記直下型光源に対面するように配置されていることを特徴とする輸送機器、である。【００１９】
請求項１３に記載の発明は、観察者と、エッジライト式光源と導光板からなる面光源との間に請求項１乃至１１に記載のいずれかの情報表示パネルが少なくとも配置され、前記光透過性支持体の他方の面が前記面光源に対面するように配置されていることを特徴とする輸送機器、である。
【発明の効果】
【００２０】
本発明の情報表示パネルは、光透過性を有した基板上の一方の面側に文字・絵柄を有する絵柄層と絵柄層に加飾を施す事ができる反射層を積層した構成であり、絵柄層と反射層の領域が異なることにより擬似的な陰影による立体感を出すようになっている。さらに、情報表示パネルの後方に配置された光源から入射した光が、文字・絵柄を有する絵柄層の外周部分から間接光として漏れるために、文字・絵柄の立体感をよりいっそう強く感じさせ、美しく表示できる効果がある。
【図面の簡単な説明】
【００２１】
【図１】本発明の情報表示パネルの第一の実施形態の断面図。
【図２】本発明の情報表示パネルの第二の実施形態の断面図。
【図３】本発明の情報表示パネルを観察者側からみた平面図であって、絵柄層３、第一の反射層２、絵柄層３を包囲できる最小円（直径Ｒ）の配置関係を示す模式図である。
【発明を実施するための形態】
【００２２】
以下に図面を参照して、本発明に係る情報表示パネルの好適な実施の形態について詳細に説明する。
【００２３】
図１は、本発明の第一の実施形態である情報表示パネル７の断面図を示したものである。
情報表示パネル７は、光透過性支持体１の一方の面側に第一の反射層２、絵柄層３が順に積層され、光透過性支持体１の他方の面側に遮光層４が積層されたものである。光透過性支持体１の他方の面側には光源５が配置され、観察者６側から目視を行うことになる。
【００２４】
光透過性支持体１は、透明樹脂のみ、拡散性樹脂のみ、透明樹脂層と拡散性樹脂層との積層の３種類の構成のいずれかを選択することができる。
【００２５】
光透過性支持体１を透明樹脂のみで構成する場合、ポリカーボネート、ポリプロピレン、発泡ポリプロピレン、ポリエチレンテレフタレート、ポリスチレン、メタクリル・スチレン共重合体、アクリルニトリル・スチレン共重合体、ポリメタクリル酸メチルまたはアクリルを利用することができる。
この時の光透過性支持体１の厚さは、後述する遮光層や反射層を形成する工程などにおける作業性が求められるため０．０５ｍｍ以上が好ましく、情報表示機器筐体内に組み込んだときに空間的制約を受けないために５ｍｍ以下が好ましい。また、透明樹脂のみで構成すると、光源５からの光が光透過性支持体１を透過する際の光量の損失を少なく出来るため、光源５の点灯時により明るく文字・絵柄を表示することができる。
【００２６】
光透過性支持体１を拡散性樹脂のみで構成する場合、球形または無定形の形状であり有機又は無機からなる光拡散性微粒子を含んだポリカーボネート、ポリスチレン、メタクリル・スチレン共重合体、アクリルのうち少なくともいずれかを含む有機系樹脂を利用することができる。この時の光透過性支持体１の厚さは、後述する遮光層や反射層を形成する工程などにおける作業性が求められるため０．０５ｍｍ以上が好ましく、情報表示機器筐体内に組み込んだときに空間的制約を受けないために５ｍｍ以下が好ましい。また、拡散性樹脂のみで構成することにより、光源５からの直接入射光の一部が拡散性樹脂で散乱されて、第一の反射層２および第一の遮光層３の開口部３ａ周縁から観察者６側に出るために、間接光の輝度を高めることができる。
【００２７】
光透過性支持体１を透明樹脂層と拡散性樹脂層との積層構成にする場合、透明樹脂層にはポリカーボネート、ポリプロピレン、発泡ポリプロピレン、ポリエチレンテレフタレート、ポリスチレン、メタクリル・スチレン共重合体、アクリルニトリル・スチレン共重合体、ポリメタクリル酸メチルまたはアクリルを、拡散性樹脂層には球形または無定形の形状であり有機又は無機からなる光拡散性微粒子を含んだポリカーボネート、ポリスチレン、メタクリル・スチレン共重合体、アクリルのうち少なくともいずれかを含む有機系樹脂を利用することができる。
この時の光透過性支持体１の厚さは後述する遮光層や反射層を形成する工程などにおける作業性が求められるため０．０５ｍｍ以上が好ましく、情報表示機器筐体内に組み込んだときに空間的制約を受けないために５ｍｍ以下が好ましい。また、拡散性樹脂層を含む構成であることにより、光源６からの直接入射光の一部が拡散性樹脂層で散乱されて、第一の反射層２および第一の遮光層３の開口部３ａ周縁から観察者６側に出るために、間接光の輝度を高めることができる。
この時の透明樹脂層と拡散性樹脂層の配置の順序、すなわち、どちらが観察者６側で、どちらが光源５側に配置されるかは、どちらであっても構わない。
【００２８】
光透過性光透過性支持体１の一方の面（観察者６側の面）に第一の反射層２を設ける。
第一の反射層２はスクリーン印刷によって設けることができる。特にスクリーン印刷に限定することなく、凸版印刷、フレキソ印刷、オフセット印刷、グラビア印刷、インクジェット等を用いることもできる。
【００２９】
第一の反射層２には白色インキを用いるのが望ましいが、光の拡散反射効果があれば白色インキに限らない。厚みに制限は無いが、５μｍ〜３０μｍにすると反射効果が出やすい。光源５が点灯した際には第一の反射層２で反射した光が第一の反射層２の外周部に漏れて見える。また、第一の反射層２の絵柄層３（後述する）からはみ出した部分が、観察者には絵柄層３の陰影として擬似的に認識され、立体感をより感じさせる効果がある。
【００３０】
光透過性支持体１の一方の面の第一の反射層２の上に絵柄層３を積層する。
絵柄層３はスクリーン印刷によって設けることができる。特にスクリーン印刷に限定することなく、凸版印刷、フレキソ印刷、オフセット印刷、グラビア印刷、インクジェット等を用いることもできる。
【００３１】
絵柄層３には黒色インキを用いるのが望ましいが、遮光効果があれば黒色インキに限らない。厚みに制限は無いが、５μｍ〜３０μｍにすると遮光効果が出やすい。光源が点灯した際に第一の反射層２で反射しきれずに透過した光が絵柄層３によって遮光され、絵柄層３の部分が暗く視認されることになる。
【００３２】
第一の反射層２および絵柄層３は、文字や絵柄などの所定のパターンを有した形状に形成される。このとき、第一の反射層２および絵柄層３が形成されている部分が文字や絵柄などの図柄を表し、形成されていない開口部３ａが背景を表していても良いし、逆に、第一の反射層２および絵柄層３が形成されている部分が背景を表し、形成されていない開口部３ａが文字や絵柄などの図柄を表していても良い。
【００３３】
絵柄層３は、第一の反射層２よりも小さい領域に形成する。すなわち、観察者６側から観察すると、第一の反射層２が絵柄層３の端部からはみ出している領域があることになる。この、第一の反射層２が絵柄層３の端部からはみ出している領域は、あたかも絵柄層３の陰影のように観察され、観察者６により立体感を感じさせる。
【００３４】
この、第一の反射層２が絵柄層３の端部からはみ出している領域による立体感の効果は、下記の［ア］［イ］のような条件のときに得られやすい。（図３参照）
［ア］光透過性支持体１上のある領域において、絵柄層３の外周全体の長さをＬ０とし、絵柄層３の端部より第一の反射層２の端部がはみ出している領域の、絵柄層３の外周の長さをＬ１としたとき、（Ｌ１／Ｌ０）×１００＝１５％以上の範囲にあるとき。
［イ］絵柄層３または開口部３ａにより形成されている文字・絵柄等を包囲できる最小円の直径をＲとし、絵柄層３の端部から第一の反射層２がはみ出している部分の幅の最大値をＬ２としたとき、（Ｌ２／Ｒ）×１００＝０．２５％〜５％の範囲にあるとき。
【００３５】
図３は、本発明の情報表示パネルを観察者側からみた平面図であって、絵柄層３、第一の反射層２、絵柄層３を包囲できる直径Ｒの最小円の配置関係を示す模式図である。
図３において、絵柄層３の外周全体の長さＬ０は破線部分の長さであり、絵柄層３の端部より第一の反射層２がはみ出している領域の絵柄層３の外周の長さＬ１は、絵柄層３の左側端部と下側端部の長さを合わせた長さである。
また、図３においては、絵柄層３により形成されている文字・絵柄等を包囲できる最小円の直径をＲとし、絵柄層３の端部から第一の反射層２がはみ出している部分の幅の最大値をＬ２としている。
【００３６】
（Ｌ１／Ｌ０）の値が１５％未満の場合や、（Ｌ２／Ｒ）の値が０．２５％未満の場合では、第一の反射層２の端部がはみ出している領域が小さすぎるため、絵柄層３の陰影として認識されずに立体感が得られない。
また、（Ｌ２／Ｒ）の値が５％を超えると、第一の反射層２のはみ出している部分は、絵柄層３の陰影としてではなく、絵柄層３とは別の文字・絵柄と認識されるため、立体感を得られない。
【００３７】
光透過性支持体１の他方の面（光源５側）に遮光層４を設ける。
遮光層４はスクリーン印刷によって設けることができる。特にスクリーン印刷に限定することなく、凸版印刷、フレキソ印刷、オフセット印刷、グラビア印刷、インクジェット等を用いることもできる。
【００３８】
遮光層４は、第一の反射層２および絵柄層３が形成されていない開口部３ａ領域とほぼ同形状のパターンを有し、開口部３ａとほぼ同じ位置に位置合わせされて設けられている。したがって、遮光層４が形成されていない開口部４ａは、第一の反射層２および絵柄層３が形成されている部分とほぼ同形状のパターンを有し、第一の反射層２および絵柄層３とほぼ同じ位置に位置合わせされて設けられていることになる。
【００３９】
遮光層４には黒色インキを用いるのが望ましいが、遮光効果があれば黒色インキに限らない。厚みに制限は無いが、５μｍ〜３０μｍにすると遮光効果が出やすい。
【００４０】
光源５が点灯した際には、遮光層４が形成されている領域では遮光層４により遮光され、絵柄層３が形成されている領域では遮光層３により遮光されるため、大部分の直接光は観察者６側に届くことがなく、遮光層４側の開口部４ａを通過した光のうちの一部が、開口部３ａ周縁から観察者６側に届く。それにより、第一の反射層２および絵柄層３が形成されている領域の外周に、光が広がるのが視認され、文字・絵柄等が美しく表示される。
【００４１】
図２は、本発明の第二の実施形態である情報表示パネル１８の断面図を示したものである。
情報表示パネル１８は、光透過性支持体１１の一方の面側に第一の反射層１２、絵柄層１３が順に積層され、光透過性支持体１１の他方の面側に第二の反射層１４、遮光層１５が順に積層されたものである。光透過性支持体１１の他方の面側に光源１６が配置され、観察者１７側から目視を行うものである。
【００４２】
光透過性支持体１、第一の反射層１２、絵柄層１３および遮光層１５の材料、作成方法は、第一の実施形態の場合と同様である。また、第一の反射層１２、絵柄層１３に関して、Ｌ０、Ｌ１，Ｌ２、Ｒを第一の実施形態と同様に設定し、望ましい（Ｌ１／Ｌ０）の値の範囲、および望ましい（Ｌ２／Ｒ）の値の範囲も第一の実施形態の場合と同様である。
【００４３】
ここで、光透過性支持体１の一方の面に設けられる第二の反射層１４について説明する。
第二の反射層１４はスクリーン印刷によって設けることができる。特にスクリーン印刷に限定することなく、凸版印刷、フレキソ印刷、オフセット印刷、グラビア印刷、インクジェット等を用いることもできる。
【００４４】
第二の反射層１４は、第一の実施形態における遮光層４と同様に、絵柄層１３および第一の反射層１２が形成されていない開口部１３ａ領域とほぼ同形状のパターンを有し、開口部１３ａとほぼ同じ位置に位置合わせされて設けられている。したがって、第二の反射層１４が形成されていない開口部１５ａは、絵柄層１３および第一の反射層１２が形成されている部分とほぼ同形状のパターンを有し、絵柄層１３および第一の反射層１２とほぼ同じ位置に位置合わせされて設けられていることになる。
【００４５】
第二の反射層１４には白色インキを用いるのが望ましいが、光の拡散反射効果があれば白色インキに限らない。厚みに制限は無いが、５μｍ〜３０μｍにすると反射効果が出やすい。
遮光層１５は、第二の反射層１４の上に、第二の反射層１４と同形状で、同じ位置に位置合わせされて設けられる。
光源１６が点灯した際には、第一の反射層１２で反射した光が第二の反射層１４で再反射して観察者１７側に出てくる光と、絵柄層１３および第一の反射層１２の外周部から観察者１７側に漏れてきた間接光を、観察することができる。
【００４６】
情報表示機器筺体内の空間的な設計上の制約をうけないためには、情報表示パネル7および１８の厚さは、０．０５〜５ｍｍの範囲が好ましい。
【００４７】
情報表示パネル7および１８の背面に配置される光源としては、各種ランプ（各種電球ランプ、ＬＥＤ光源）や面光源を利用することが出来る。特にエッジライト式光源と導光板からなる面光源は、冷陰極管などの線光源からアクリルなどの導光板内に導かれた光を導光板内の全反射を用いて導光板全面に導き、印刷などでつけられた反射ドットに当たった光がその進路を変え、全反射角よりも小さい角度になった光が導光板表面から出てくることを利用して、導光板全面が均一に光るようにしたものである。このような面光源を、情報表示パネルの背面に配置される光源として利用すると、情報表示パネル全体を均一に照明することができ、観察者が読み取りしやすいという利点がある。
【００４８】
図３においては、絵柄層３の左側端部と下側端部の外側に、第一の反射層２がはみ出している領域がある場合を示しているが、第一の反射層２がはみ出す領域は、絵柄層３のどちら側であってもかまわない。
例えば、情報表示パネルの各領域にある絵柄層３の、情報表示パネルの中央に近い側の端部には第一の反射層２がはみ出す領域がなく、情報表示パネルの周縁部に近い側の端部には第一の反射層２がはみ出す領域があるという設定にしてもよい。あるいは、情報表示機器に組み込まれ輸送機器に搭載されたときに、上側になる絵柄層３端部には第一の反射層２がはみ出す領域がなく、下側になる絵柄層３端部には第一の反射層２がはみ出す領域があるという設定にしてもよい。
【実施例１】
【００４９】
本発明の実施例１について具体的に説明する。図１は本発明の情報表示パネル７の一実施例を示したものである。
光透過性支持体１として厚さｄのポリカーボネートを用い、その一方の面にスクリーン印刷で白インキの第一の反射層２、黒インキの絵柄層３を形成し、他方の面にスクリーン印刷で反転する位置に黒インキの遮光層４を形成した。本実施例においては、第一の反射層２および絵柄層３を文字の形状に形成し、遮光層４を背景部分として形成した。【００５０】
以上の構成で、第一の反射層２が絵柄層３の端部よりはみ出ている領域の外周の長さをＬ１とし、絵柄層３の外周全体の長さをＬ０としたときの（Ｌ１／Ｌ０）の値、および、絵柄層３により形成されている文字を包囲できる最小円の直径をＲとし、絵柄層３の端部から第一の反射層２の端部がはみ出している部分の幅の最大値をＬ２としたときの（Ｌ２／Ｒ）の値を変化させたとき、情報表示パネル７の見え方の良し悪しを評価した結果を表１に示す。【００５１】
また、この時の第一の反射層２の反射率（波長３８０−７８０ｎｍの光に対する反射率、以下同様）は８０％、絵柄層３の全光線透過率は０％、遮光層４の全光線透過率は０％、光透過性支持体１のヘイズ値は９８％である。評価では本発明の情報表示パネルの他方の面側に１０００ｃｄ/ｍ２のＬＥＤ光源を置き、１ｍの距離から観察した。
情報表示パネル７の見え方は、文字の立体感、文字の外観の２項目について、目視による官能評価にて１〜５の５段階で評価した（良い＝５、・・・、悪い＝１）。それぞれの評価が３以上で合格とする。【００５２】
【表１】
2011013763.tif 000003
【００５３】
表１に示した結果から、文字の十分な立体感を得るためには、（Ｌ１／Ｌ０）の値が２０％以上必要なことがわかる。【００５４】
また、文字の外観を損なわずに十分な立体感を得るためには、（Ｌ２／Ｒ）の値が、０．２５％以上５％以下である必要があることも確認できる。すなわち、Ｌ２が大き過ぎると立体感が出るものの文字の外観が損なわれることがわかる。【００５５】
図１の構成で、絵柄層３で文字を形成した際に、（Ｌ１／Ｌ０）の値が３０％、（Ｌ２／Ｒ）の値が０．３５％とした時の、第一の反射層２の反射率、絵柄層３の全光線透過率、遮光層４の全光線透過率、光透過性支持体１のヘイズ値のパラメータをそれぞれ変えた際の、文字部すなわち第一の反射層２、絵柄層３外周部の明るさ、間接光の見え方、文字の立体感を評価した結果を、表２に示す。【００５６】
この評価では、本発明の情報表示パネル７の他方の面側に１０００ｃｄ/ｍ２のＬＥＤ光源を置き、１ｍの距離から観察した。情報表示パネル７の見え方は、文字外周部の明るさ、文字外周部の間接光の見え方、文字の立体感、の３項目について、目視による官能評価にて１〜５の５段階で評価した（良い＝５、・・・、悪い＝１）それぞれの評価が３以上で合格とする。なお、光透過性光透過性支持体１のヘイズ値０％のものは光拡散層を光透過光透過性支持体１が含まない構成である。【００５７】
【表２】
2011013763.tif 000004
【００５８】
表２に示した結果から、文字外周部において十分な明るさと間接光の輝度を得るためには、第一の反射層２の反射率が６０％以上必要なことが確認できる。反射率が６０％未満であると第一の反射層２で反射される光量が少なく、従って、文字外周部に漏れる光量が少なくなるためと推測される。【００５９】
表２に示した結果から、文字外周部において十分な明るさと間接光の輝度を得るためには絵柄層３の全光線透過率が２０％以下でなければならないことが確認できる。全光線透過率が２０％を超えると絵柄層３での遮光が不十分になって光が透過し、文字外周部とのコントラストが低下して間接光の見え方の評価が悪くなるものと推測される。【００６０】
表２に示した結果から、文字外周部において十分な明るさを得て、かつ、間接光の見え方の評価を向上させるには遮光層４の全光線透過率が２０％以下でなければならないことが確認できる。全光線透過率が２０％を超えると遮光層４での遮光が不十分になって文字外周部を含む背景部分全体から光が透過し、文字外周部とのコントラストが低下して間接光の見え方の評価が悪くなるものと推測される。【００６１】
表２に示した結果から、光透過性支持体１のヘイズ値が上がるほど文字外周部の明るさと間接光の見え方の評価が向上することが確認できる。ヘイズ値が上がると第一の反射層２から漏れる光に光透過性支持体１から出る拡散光が加わるためと推測される。【００６２】
表２に示した結果から、間接光の見え方の評価が高いほど、文字の立体感についての評価も良好であることが分かる。ただし、文字そのものの陰影効果により、間接光の見え方の評価が悪くても一定の立体感は出ている。間接光の効果により文字の立体感が増しているといえる。【００６３】
光透過性支持体１、第一の反射層２、絵柄層３および遮光層４によって、文字の立体感を出し、文字外周部に間接光を発生させることができ、意匠性に優れた表示をすることができた。【００６４】
実施例１で作製した情報表示パネルを、情報表示機器に組み込み、輸送機器に用いた。輸送機器の構造は一般的に用いられるものである。
【実施例２】
【００６５】
本発明の実施例２について具体的に説明する。図２は本発明の情報表示パネル１８の一実施例を示したものである。
光透過性支持体１として厚さｄのポリカーボネートを用い、その一方の面にスクリーン印刷で白インキの第一の反射層１２、および黒インキの絵柄層１３を形成し、他方の面にスクリーン印刷で反転する位置に白インキの第二の反射層１４、および黒インキの遮光層１５を形成した。本実施例においては、第一の反射層１２および絵柄層１３を文字の形状に形成し、第二の反射層１４および遮光層１５を背景部分として形成した。【００６６】
以上の構成で、第一の反射層１２が絵柄層１３の端部よりはみ出ている領域の外周の長さをＬ１とし、絵柄層１３の外周全体の長さをＬ０としたときの（Ｌ１／Ｌ０）の値、および、絵柄層１３により形成されている文字を包囲できる最小円の直径をＲとし、絵柄層１３の端部から第一の反射層１２の端部がはみ出している部分の幅の最大値をＬ２としたときの（Ｌ２／Ｒ）の値を変化させたとき、情報表示パネル１８の見え方の良し悪しを評価した結果を表１に示す。【００６７】
また、この時の第一の反射層１２の反射率は８０％、絵柄層１３の全光線透過率は０％、第二の反射層１４の反射率は６０％、遮光層１５の全光線透過率は０％、光透過性支持体１１のヘイズ値は９８％である。評価では本発明の情報表示パネルの他方の面側に１０００ｃｄ/ｍ２のＬＥＤ光源を置き、１ｍの距離から観察した。
情報表示パネル７の見え方は、文字の立体感、文字の外観の２項目について、目視による官能評価にて１〜５の５段階で評価した（良い＝５、・・・、悪い＝１）。それぞれの評価が３以上で合格とする。【００６８】
【表３】
2011013763.tif 000005
【００６９】
表３に示した結果から、文字の十分な立体感を得るためには、（Ｌ１／Ｌ０）の値が２０％以上必要なことがわかる。【００７０】
また、文字の外観を損なわずに十分な立体感を得るためには、（Ｌ２／Ｒ）の値が０．２５％以上５％以下である必要があることも確認できる。すなわち、Ｌ２が大き過ぎると立体感が出るものの文字の外観が損なわれることがわかる。【００７１】
図２の構成で、絵柄層１３で文字を形成した際に（Ｌ１／Ｌ０）の値が３０％、（Ｌ２／Ｒ）の値が０．３５％とした時の、第一の反射層１２の反射率、絵柄層１３の全光線透過率、第二の反射層１４の反射率、遮光層１５の全光線透過率、光透過性支持体１１のヘイズ値のパラメータをそれぞれ変えた際の、文字部すなわち第一の反射層２、絵柄層３外周部の明るさ、間接光の見え方、文字の立体感を評価した結果を、表４に示す。【００７２】
この評価では、本発明の情報表示パネル１８の他方の面側に１０００ｃｄ/ｍ２のＬＥＤ光源を置き、１ｍの距離から観察した。情報表示パネル１８の見え方は、文字外周部の明るさ、文字外周部の間接光の見え方、文字の立体感、の３項目について、目視による官能評価にて１〜５の５段階で評価した（良い＝５、・・・、悪い＝１）。それぞれの評価が３以上で合格とする。なお、光透過性支持体１１のヘイズ値０％のものは光拡散層を光透過性支持体１１が含まない構成である。【００７３】
【表４】
2011013763.tif 000006
【００７４】
表４に示した結果から、文字外周部において十分な明るさと間接光の輝度を得るためには第一の反射層１２の反射率が６０％以上必要なことが確認できる。反射率が６０％未満であると第一の反射層１２で反射される光量が少なく、従って、文字外周部に漏れる光量が少なくなるためと推測される。【００７５】
表４に示した結果から、文字外周部において十分な明るさと間接光の輝度を得るためには絵柄層１３の全光線透過率が２０％以下でなければならないことが確認できる。全光線透過率が２０％を超えると絵柄層１３での遮光が不十分になって光が透過し、文字外周部とのコントラストが低下して間接光の見え方の評価が悪くなるものと推測される。【００７６】
表４に示した結果から、文字外周部において十分な明るさと間接光の輝度を得るためには第二の反射層１４の反射率が４０％以上必要なことが確認できる。反射率が４０％未満であると第一の反射層１２で反射され、第二の反射層１４に入射した光を十分に反射できないために文字外周部の光量が低下し、間接光の見え方の評価が悪くなるものと推測される。【００７７】
表４に示した結果から、文字外周部において十分な明るさを得て、かつ、間接光の見え方の評価を向上させるには遮光層１５の全光線透過率が２０％以下でなければならないことが確認できる。全光線透過率が２０％を超えると遮光層１５での遮光が不十分になって文字外周部を含む背景部分全体から光が透過し、文字外周部とのコントラストが低下して間接光の見え方の評価が悪くなるものと推測される。【００７８】
表４に示した結果から、光透過性支持体１１のヘイズ値が上がるほど文字外周部の明るさと間接光の見え方の評価が向上することが確認できる。ヘイズ値が上がると第一の反射層１２から漏れる光に光透過性支持体１１から出る拡散光が加わるためと推測される。【００７９】
表４に示した結果から、間接光の見え方の評価が高いほど、文字の立体感についての評価も良好であることが分かる。ただし、文字そのものの陰影効果により、間接光の見え方の評価が悪くても一定の立体感は出ている。間接光の効果により文字の立体感が増しているといえる。【００８０】
光透過性支持体１１、第一の反射層１２、絵柄層１３、第二の反射層１４および遮光層１５によって、文字の立体感を出し、文字外周部に間接光を発生させることができ、意匠性に優れた表示をすることができた。
実施例２で作製した情報表示パネルを、情報表示機器に組み込み、輸送機器に用いた。輸送機器の構造は一般的に用いられるものである。
【符号の説明】
【００８１】
１、１１      光透過性支持体
２、１２      第一の反射層
１４          第二の反射層
３、１３      絵柄層
４、１５      遮光層
５ 、１６     光源
６ 、１７     観察者
７ 、１８     情報表示パネル
【図１】
2011013763.tif 000007
【図２】
2011013763.tif 000008
【図３】
2011013763.tif 000009
【手続補正書】
【提出日】平成22年12月15日(2010.12.15)
【手続補正１】
【補正対象書類名】明細書
【補正対象項目名】０００７
【補正方法】変更
【補正の内容】
【０００７】
本発明は、上記課題を解決するために次のような構成を備えている。
請求項１に記載の発明は、
光源によって背面より照明される情報表示パネルであって、
前記情報表示パネルは光透過性支持体、第一の反射層、絵柄層、遮光層からなり、
前記光透過性支持体の一方の面である観察者側の面に所定のパターンを有する第一の反射層が積層され、
前記第一の反射層の上に、前記第一の反射層に少なくとも一部が重なった状態で絵柄層が積層され、
前記光透過性支持体の他方の面である光源が配置される側の面に所定のパターンを有する遮光層が積層され、
前記絵柄層の外周全体の長さをＬ０とし、絵柄層の端部より第一の反射層の端部がはみ出している領域の絵柄層の外周をＬ１としたとき、（Ｌ１／Ｌ０）×１００＝１５％以上の範囲にあり、
前記絵柄層または絵柄層の開口部により形成されている図柄を包囲できる最小円の直径をＲとし、前記絵柄層の端部から前記第一の反射層２の端部がはみ出している部分の幅の最大値をＬ２としたとき、（Ｌ２／Ｒ）×１００＝０．２５％〜５％の範囲にあり、
前記絵柄層の開口部分がなすパターン形状と前記遮光層がなすパターン形状が略重なることを特徴とする情報表示パネル、である。
【手続補正２】
【補正対象書類名】明細書
【補正対象項目名】００２６
【補正方法】変更
【補正の内容】
【００２６】
光透過性支持体１を拡散性樹脂のみで構成する場合、球形または無定形の形状であり有機又は無機からなる光拡散性微粒子を含んだポリカーボネート、ポリスチレン、メタクリル・スチレン共重合体、アクリルのうち少なくともいずれかを含む有機系樹脂を利用することができる。この時の光透過性支持体１の厚さは、後述する遮光層や反射層を形成する工程などにおける作業性が求められるため０．０５ｍｍ以上が好ましく、情報表示機器筐体内に組み込んだときに空間的制約を受けないために５ｍｍ以下が好ましい。また、拡散性樹脂のみで構成することにより、光源５からの直接入射光の一部が拡散性樹脂で散乱されて、第一の反射層２および絵柄層３の開口部３ａ周縁から観察者６側に出るために、間接光の輝度を高めることができる。
【手続補正３】
【補正対象書類名】明細書
【補正対象項目名】００２７
【補正方法】変更
【補正の内容】
【００２７】
光透過性支持体１を透明樹脂層と拡散性樹脂層との積層構成にする場合、透明樹脂層にはポリカーボネート、ポリプロピレン、発泡ポリプロピレン、ポリエチレンテレフタレート、ポリスチレン、メタクリル・スチレン共重合体、アクリルニトリル・スチレン共重合体、ポリメタクリル酸メチルまたはアクリルを、拡散性樹脂層には球形または無定形の形状であり有機又は無機からなる光拡散性微粒子を含んだポリカーボネート、ポリスチレン、メタクリル・スチレン共重合体、アクリルのうち少なくともいずれかを含む有機系樹脂を利用することができる。
この時の光透過性支持体１の厚さは後述する遮光層や反射層を形成する工程などにおける作業性が求められるため０．０５ｍｍ以上が好ましく、情報表示機器筐体内に組み込んだときに空間的制約を受けないために５ｍｍ以下が好ましい。また、拡散性樹脂層を含む構成であることにより、光源６からの直接入射光の一部が拡散性樹脂層で散乱されて、第一の反射層２および絵柄層３の開口部３ａ周縁から観察者６側に出るために、間接光の輝度を高めることができる。
この時の透明樹脂層と拡散性樹脂層の配置の順序、すなわち、どちらが観察者６側で、どちらが光源５側に配置されるかは、どちらであっても構わない。
【手続補正４】
【補正対象書類名】明細書
【補正対象項目名】００２８
【補正方法】変更
【補正の内容】
【００２８】
光透過性支持体１の一方の面（観察者６側の面）に第一の反射層２を設ける。
第一の反射層２はスクリーン印刷によって設けることができる。特にスクリーン印刷に限定することなく、凸版印刷、フレキソ印刷、オフセット印刷、グラビア印刷、インクジェット等を用いることもできる。
【手続補正５】
【補正対象書類名】明細書
【補正対象項目名】００４０
【補正方法】変更
【補正の内容】
【００４０】
光源５が点灯した際には、遮光層４が形成されている領域では遮光層４により遮光され、絵柄層３が形成されている領域では絵柄層３により遮光されるため、大部分の直接光は観察者６側に届くことがなく、遮光層４側の開口部４ａを通過した光のうちの一部が、開口部３ａ周縁から観察者６側に届く。それにより、第一の反射層２および絵柄層３が形成されている領域の外周に、光が広がるのが視認され、文字・絵柄等が美しく表示される。
【手続補正６】
【補正対象書類名】明細書
【補正対象項目名】００５６
【補正方法】変更
【補正の内容】
【００５６】
この評価では、本発明の情報表示パネル７の他方の面側に１０００ｃｄ/ｍ２のＬＥＤ光源を置き、１ｍの距離から観察した。情報表示パネル７の見え方は、文字外周部の明るさ、文字外周部の間接光の見え方、文字の立体感、の３項目について、目視による官能評価にて１〜５の５段階で評価した（良い＝５、・・・、悪い＝１）それぞれの評価が３以上で合格とする。なお、光透過性支持体１のヘイズ値０％のものは光拡散層を光透過性支持体１が含まない構成である。
【手続補正７】
【補正対象書類名】明細書
【補正対象項目名】００６６
【補正方法】変更
【補正の内容】
【００６６】
以上の構成で、第一の反射層１２が絵柄層１３の端部よりはみ出ている領域の外周の長さをＬ１とし、絵柄層１３の外周全体の長さをＬ０としたときの（Ｌ１／Ｌ０）の値、および、絵柄層１３により形成されている文字を包囲できる最小円の直径をＲとし、絵柄層１３の端部から第一の反射層１２の端部がはみ出している部分の幅の最大値をＬ２としたときの（Ｌ２／Ｒ）の値を変化させたとき、情報表示パネル１８の見え方の良し悪しを評価した結果を表３に示す。
【手続補正８】
【補正対象書類名】明細書
【補正対象項目名】００８１
【補正方法】変更
【補正の内容】
【００８１】
１、１１      光透過性支持体
２、１２      第一の反射層
１４          第二の反射層
３、１３      絵柄層
３ａ、１３ａ  絵柄層の開口部
４、１５      遮光層
４ａ、１５ａ  遮光層の開口部
５、１６      光源
６、１７      観察者
７、１８      情報表示パネル
【手続補正９】
【補正対象書類名】特許請求の範囲
【補正対象項目名】全文
【補正方法】変更
【補正の内容】
【特許請求の範囲】
【請求項１】
光源によって背面より照明される情報表示パネルであって、
前記情報表示パネルは光透過性支持体、第一の反射層、絵柄層、遮光層からなり、
前記光透過性支持体の一方の面である観察者側の面に所定のパターンを有する第一の反射層が積層され、
前記第一の反射層の上に、前記第一の反射層に少なくとも一部が重なった状態で絵柄層が積層され、
前記光透過性支持体の他方の面である光源が配置される側の面に所定のパターンを有する遮光層が積層され、
前記絵柄層の外周全体の長さをＬ０とし、絵柄層の端部より第一の反射層の端部がはみ出している領域の絵柄層の外周をＬ１としたとき、（Ｌ１／Ｌ０）×１００＝１５％以上の範囲にあり、
前記絵柄層または絵柄層の開口部により形成されている図柄を包囲できる最小円の直径をＲとし、前記絵柄層の端部から前記第一の反射層２の端部がはみ出している部分の幅の最大値をＬ２としたとき、（Ｌ２／Ｒ）×１００＝０．２５％〜５％の範囲にあり、
前記絵柄層の開口部分がなすパターン形状と前記遮光層がなすパターン形状が略重なることを特徴とする情報表示パネル。
【請求項２】
前記光透過性支持体と前記遮光層との間に第二の反射層が積層された情報表示パネルであって、前記第二の反射層と前記遮光層は略重なっていることを特徴とする請求項１に記載の情報表示パネル。
【請求項３】
前記光透過性支持体と前記遮光層との間に第二の反射層が積層された情報表示パネルであって、前記第二の反射層と前記遮光層の少なくとも一部が重なっており、前記第一の反射層に対して前記第二の反射層及び遮光層は少なくとも一部は重ならない部分を持つことを特徴とする請求項１に記載の情報表示パネル。
【請求項４】
前記第一の反射層の波長３８０〜７８０ｎｍの光に対する反射率が６０％以上９８％以下であることを特徴とする請求項１乃至３記載の情報表示パネル。
【請求項５】
前記絵柄層の全光線透過率が０％以上２０％以下であることを特徴とする請求項１乃至４記載の情報表示パネル。
【請求項６】
前記遮光層の全光線透過率が０％以上２０％以下であることを特徴とする請求項２乃至５記載の情報表示パネル。
【請求項７】
前記第二の反射層の波長３８０〜７８０ｎｍの光に対する反射率が４０％以上９８％以下であることを特徴とする請求項３乃至６記載の情報表示パネル。
【請求項８】
前記光透過性支持体はポリカーボネート、ポリプロピレン、発泡ポリプロピレン、ポリエチレンテレフタレート、ポリメタクリル酸メチル、アクリル、ポリスチレン、メタクリル・スチレン共重合体またはアクリルニトリル・スチレン共重合体のいずれかの樹脂であることを特徴とする請求項１乃至７記載の情報表示パネル。
【請求項９】
前記光透過性支持体はヘイズ値が１２％以上９２％以下の樹脂であることを特徴とする請求項１乃至７記載の情報表示パネル。
【請求項１０】
前記光透過性支持体は光透過層と光拡散層を含み、
前記光透過層はポリカーボネート、ポリプロピレン、発泡ポリプロピレン、ポリエチレンテレフタレート、ポリメタクリル酸メチル、アクリル、ポリスチレン、メタクリル・スチレン共重合体またはアクリルニトリル・スチレン共重合体のいずれかの樹脂であり、前記光拡散層はヘイズ値が１２％以上９２％以下の樹脂であることを特徴とする請求項１乃至７記載の情報表示パネル。
【請求項１１】
前記光透過性支持体の厚さが０．０５〜５ｍｍの範囲であることを特徴とする請求項１乃至１０記載の情報表示パネル。
【請求項１２】
観察者と直下型光源の間に請求項１乃至１１記載のいずれかの情報表示パネルが少なくとも配置され、前記光透過性支持体の他方の面が前記直下型光源に対面するように配置されていることを特徴とする輸送機器。
【請求項１３】
観察者と、エッジライト式光源と導光板からなる面光源との間に請求項１乃至１１に記載のいずれかの情報表示パネルが少なくとも配置され、前記光透過性支持体の他方の面が前記面光源に対面するように配置されていることを特徴とする輸送機器。
【手続補正書】
【提出日】平成23年3月31日(2011.3.31)
【手続補正１】
【補正対象書類名】明細書
【補正対象項目名】００１０
【補正方法】変更
【補正の内容】
【００１０】
請求項４に記載の発明は、前記第一の反射層の波長３８０〜７８０ｎｍの光に対する反射率が６０％以上９８％以下であることを特徴とする請求項１乃至３のいずれかに記載の情報表示パネル、である。
【手続補正２】
【補正対象書類名】明細書
【補正対象項目名】００１１
【補正方法】変更
【補正の内容】
【００１１】
請求項５に記載の発明は、前記絵柄層の全光線透過率が０％以上２０％以下であることを特徴とする請求項１乃至４のいずれかに記載の情報表示パネル、である。
【手続補正３】
【補正対象書類名】明細書
【補正対象項目名】００１２
【補正方法】変更
【補正の内容】
【００１２】
請求項６に記載の発明は、前記遮光層の全光線透過率が０％以上２０％以下であることを特徴とする請求項２乃至５のいずれかに記載の情報表示パネル、である。
【手続補正４】
【補正対象書類名】明細書
【補正対象項目名】００１３
【補正方法】変更
【補正の内容】
【００１３】
請求項７に記載の発明は、前記第二の反射層の波長３８０〜７８０ｎｍの光に対する反射率が４０％以上９８％以下であることを特徴とする請求項３乃至６のいずれかに記載の情報表示パネル、である。
【手続補正５】
【補正対象書類名】明細書
【補正対象項目名】００１４
【補正方法】変更
【補正の内容】
【００１４】
請求項８に記載の発明は、前記光透過性支持体はポリカーボネート、ポリプロピレン、発泡ポリプロピレン、ポリエチレンテレフタレート、ポリメタクリル酸メチル、アクリル、ポリスチレン、メタクリル・スチレン共重合体またはアクリルニトリル・スチレン共重合体のいずれかの樹脂であることを特徴とする請求項１乃至７のいずれかに記載の情報表示パネル、である。
【手続補正６】
【補正対象書類名】明細書
【補正対象項目名】００１５
【補正方法】変更
【補正の内容】
【００１５】
請求項９に記載の発明は、前記光透過性支持体はヘイズ値が１２％以上９２％以下の樹脂であることを特徴とする請求項１乃至７のいずれかに記載の情報表示パネル、である。
【手続補正７】
【補正対象書類名】明細書
【補正対象項目名】００１６
【補正方法】変更
【補正の内容】
【００１６】
請求項１０に記載の発明は、前記光透過性支持体は光透過層と光拡散層を含み、
前記光透過層はポリカーボネート、ポリプロピレン、発泡ポリプロピレン、ポリエチレンテレフタレート、ポリメタクリル酸メチル、アクリル、ポリスチレン、メタクリル・スチレン共重合体またはアクリルニトリル・スチレン共重合体のいずれかの樹脂であり、前記光拡散層はヘイズ値が１２％以上９２％以下の樹脂であることを特徴とする請求項１乃至７のいずれかに記載の情報表示パネル、である。
【手続補正８】
【補正対象書類名】明細書
【補正対象項目名】００１７
【補正方法】変更
【補正の内容】
【００１７】
請求項１１に記載の発明は、前記光透過性支持体の厚さが０．０５〜５ｍｍの範囲であることを特徴とする請求項１乃至１０のいずれかに記載の情報表示パネル、である。
【手続補正９】
【補正対象書類名】特許請求の範囲
【補正対象項目名】全文
【補正方法】変更
【補正の内容】
【特許請求の範囲】
【請求項１】
光源によって背面より照明される情報表示パネルであって、
前記情報表示パネルは光透過性支持体、第一の反射層、絵柄層、遮光層からなり、
前記光透過性支持体の一方の面である観察者側の面に所定のパターンを有する第一の反射層が積層され、
前記第一の反射層の上に、前記第一の反射層に少なくとも一部が重なった状態で絵柄層が積層され、
前記光透過性支持体の他方の面である光源が配置される側の面に所定のパターンを有する遮光層が積層され、
前記絵柄層の外周全体の長さをＬ０とし、絵柄層の端部より第一の反射層の端部がはみ出している領域の絵柄層の外周をＬ１としたとき、（Ｌ１／Ｌ０）×１００＝１５％以上の範囲にあり、
前記絵柄層または絵柄層の開口部により形成されている図柄を包囲できる最小円の直径をＲとし、前記絵柄層の端部から前記第一の反射層２の端部がはみ出している部分の幅の最大値をＬ２としたとき、（Ｌ２／Ｒ）×１００＝０．２５％〜５％の範囲にあり、
前記絵柄層の開口部分がなすパターン形状と前記遮光層がなすパターン形状が略重なることを特徴とする情報表示パネル。
【請求項２】
前記光透過性支持体と前記遮光層との間に第二の反射層が積層された情報表示パネルであって、前記第二の反射層と前記遮光層は略重なっていることを特徴とする請求項１に記載の情報表示パネル。
【請求項３】
前記光透過性支持体と前記遮光層との間に第二の反射層が積層された情報表示パネルであって、前記第二の反射層と前記遮光層の少なくとも一部が重なっており、前記第一の反射層に対して前記第二の反射層及び遮光層は少なくとも一部は重ならない部分を持つことを特徴とする請求項１に記載の情報表示パネル。
【請求項４】
前記第一の反射層の波長３８０〜７８０ｎｍの光に対する反射率が６０％以上９８％以下であることを特徴とする請求項１乃至３のいずれかに記載の情報表示パネル。
【請求項５】
前記絵柄層の全光線透過率が０％以上２０％以下であることを特徴とする請求項１乃至４のいずれかに記載の情報表示パネル。
【請求項６】
前記遮光層の全光線透過率が０％以上２０％以下であることを特徴とする請求項２乃至５のいずれかに記載の情報表示パネル。
【請求項７】
前記第二の反射層の波長３８０〜７８０ｎｍの光に対する反射率が４０％以上９８％以下であることを特徴とする請求項３乃至６のいずれかに記載の情報表示パネル。
【請求項８】
前記光透過性支持体はポリカーボネート、ポリプロピレン、発泡ポリプロピレン、ポリエチレンテレフタレート、ポリメタクリル酸メチル、アクリル、ポリスチレン、メタクリル・スチレン共重合体またはアクリルニトリル・スチレン共重合体のいずれかの樹脂であることを特徴とする請求項１乃至７のいずれかに記載の情報表示パネル。
【請求項９】
前記光透過性支持体はヘイズ値が１２％以上９２％以下の樹脂であることを特徴とする請求項１乃至７のいずれかに記載の情報表示パネル。
【請求項１０】
前記光透過性支持体は光透過層と光拡散層を含み、
前記光透過層はポリカーボネート、ポリプロピレン、発泡ポリプロピレン、ポリエチレンテレフタレート、ポリメタクリル酸メチル、アクリル、ポリスチレン、メタクリル・スチレン共重合体またはアクリルニトリル・スチレン共重合体のいずれかの樹脂であり、前記光拡散層はヘイズ値が１２％以上９２％以下の樹脂であることを特徴とする請求項１乃至７のいずれかに記載の情報表示パネル。
【請求項１１】
前記光透過性支持体の厚さが０．０５〜５ｍｍの範囲であることを特徴とする請求項１乃至１０のいずれかに記載の情報表示パネル。
【請求項１２】
観察者と直下型光源の間に請求項１乃至１１記載のいずれかの情報表示パネルが少なくとも配置され、前記光透過性支持体の他方の面が前記直下型光源に対面するように配置されていることを特徴とする輸送機器。
【請求項１３】
観察者と、エッジライト式光源と導光板からなる面光源との間に請求項１乃至１１に記載のいずれかの情報表示パネルが少なくとも配置され、前記光透過性支持体の他方の面が前記面光源に対面するように配置されていることを特徴とする輸送機器。
【国際調査報告】
2011013763.tif 000010
2011013763.tif 000011
2011013763.tif 000012
2011013763.tif 000013